(57)【要約】【課題】針などを使用しないで、服地に飾り物を取付ける方法及び装置を提案する。【解決手段】前側面１８の両側にそれぞれ一端が連結する隣接面１９、２０が平行又は後方に狭まる弾性ブロック１１を、服地１２の裏側に前側面１８を当接させて配置し、矩形板部２５の両端に一体的に折り曲げ状態で連結される挟持板部２６、２７を備え、挟持板部２６、２７の先端に掛止部２８、２９が設けられたクリップ材１３に、掛止部２８、２９に取付け取外し可能な開閉部材１４、１５を取付け、対となる挟持板部２６、２７の先側を開き、クリップ材１３の挟持板部２６、２７で弾性ブロック１１を服地１２と共に挟持して、開閉部材１４、１５を挟持板部２６、２７の先端から除去し、クリップ材１３の矩形板部２５に予めそれぞれに貼着された面状ファスナー１６を介して、飾り物１７を取外し可能に取付ける。【選択図】図１
2013169350.tif 000002
【特許請求の範囲】
【請求項１】
服地に名札、ワッペン、ブローチ、又はその他のアクセサリーからなる飾り物を取り外し可能に固定する飾り物の装着方法であって、
前側面の両側にそれぞれ一端が連結する隣接面が平行又は後方に狭まる弾性ブロックを、前記服地の裏側に前記前側面を当接させて配置する第１工程と、
矩形板部の両端に一体的に折り曲げ状態で連結される挟持板部を備え、前記挟持板部の先端に掛止部が設けられたクリップ材に、前記掛止部に取付け取外し可能な開閉部材を取付け、前記対となる挟持板部の先側を開き、前記クリップ材の挟持板部で前記弾性ブロックを前記服地と共に挟持する第２工程と、
前記開閉部材を前記挟持板部の先端から除去する第３工程と、
前記クリップ材の矩形板部に予めそれぞれに貼着された面状ファスナーを介して、前記飾り物を取外し可能に取付ける第４工程とを有することを特徴とする飾り物の装着方法。
【請求項２】
請求項１記載の飾り物の装着方法において、前記弾性ブロックは断面矩形又は断面台形のゴム材からなっていることを特徴とする飾り物の装着方法。
【請求項３】
服地に名札、ワッペン、ブローチ、又はその他のアクセサリーからなる飾り物を取り外し可能に固定する飾り物の装着装置であって、
前側面と、該前側面の両側にそれぞれ一端が連結する隣接面とを有し、前記隣接面が平行又は後方に狭まる弾性ブロックと、
平面状の矩形板部、該矩形板部の両端に一体的に折り曲げ状態で連結される対となる挟持板部、及び前記挟持板部の先端にそれぞれ形成された掛止部を有するクリップ材と、
前記挟持板部の各掛止部にそれぞれ取付け取外し可能に設けられ、梃子機構によって前記対となる挟持板部の先側を開く開閉部材と、
前記クリップ材の矩形板部に貼着された面状ファスナーの一方と、
前記面状ファスナーの他方が貼着された前記飾り物とを有し、
前記弾性ブロックをその前側面を前記服地の裏側に当接させた状態で、表側から前記クリップ材で前記服地と共に前記弾性ブロックを挟み、前記クリップ材の矩形板部に前記面状ファスナーを介して前記飾り物を取付けることを特徴とする飾り物の装着装置。
【請求項４】
請求項３記載の飾り物の装着装置において、前記挟持板部の先端に形成されている前記掛止部は、断面Ｊ字状となっていることを特徴とする飾り物の装着装置。
【発明の詳細な説明】
【技術分野】
【０００１】
本発明は、洋服や和服等の服地に、名札、ワッペン、ブローチ、又はその他のアクセサリーからなる飾り物を装着する方法及び装置に関する。
【背景技術】
【０００２】
洋服等の服地に名札やブローチ等を取付ける場合、服地に安全ピン構造の針棒を挿通し、挿通した針棒の先端を溝部で覆って掛止する構造となっていた。ところが、これでは装着時に針棒が露出して針棒が身体に刺さることがあり、また、溝部から針棒が外れると、針棒が自分又は他人の身体に触って危険であるという問題があった。
【０００３】
そこで、特許文献１、２に記載のような止め具が提案されている。特許文献１記載の被固定用クリップ材は、名札本体の裏側にクリップ材を設けたものである。
また、特許文献２に記載の装飾体の取付け具は、基盤部の裏側に突出するピン体部を設け、服地の裏側からピン体部に服地を被せた状態で、止め具部材をピン体部に装着し、全体を服地に止める構造となっていた。
なお、特許文献３に示すように、洋服のどの部分にも針を刺すことなく、名札等を止める留め具も提案されている。
【先行技術文献】
【特許文献】
【０００４】
【特許文献１】特開２００５−１８１７８０号公報
【特許文献２】特開２０１０−１４２３８７号公報の図１、図３
【特許文献３】実用新案登録第３１３２８４７号公報
【発明の概要】
【発明が解決しようとする課題】
【０００５】
しかしながら、特許文献１記載の技術は、構造は簡単であるが、ポケット等が必要であるという問題があり、和服の場合は取付け難いという問題があった。
特許文献２記載の技術は、ピン体部の形状が小さく、止め具部材で固定すると服地の小面積の部分に集中荷重が加わり、生地が傷み易いという問題がある。また、止め具部材の保持力が弱く、衝撃等で外れ易いという問題があった。
【０００６】
特許文献３記載の技術では、確かに服に針を通すことなく留め具を固定できるが、構造が複雑で装着も服の裏側から行う必要があり、服が厚地の場合は装着し難いという問題があった。また、表側には安全ピンを使用するので、安全ピンが外れて怪我をする場合があるという問題は依然解決していない。
【０００７】
本発明は、かかる事情に鑑みてなされたもので、針などを使用しないで、服地に飾り物を装着する方法及び飾り物の装着装置を提案することを目的とする。
【課題を解決するための手段】
【０００８】
前記目的に沿う第１の発明に係る飾り物の装着方法は、服地に名札、ワッペン、ブローチ、又はその他のアクセサリーからなる飾り物を取り外し可能に固定する飾り物の装着方法であって、
前側面の両側にそれぞれ一端が連結する隣接面が平行又は後方に狭まる弾性ブロックを、前記服地の裏側に前記前側面を当接させて配置する第１工程と、
矩形板部の両端に一体的に折り曲げ状態で連結される挟持板部を備え、前記挟持板部の先端に掛止部が設けられたクリップ材に、前記掛止部に取付け取外し可能な開閉部材を取付け、前記対となる挟持板部の先側を開き、前記クリップ材の挟持板部で前記弾性ブロックを前記服地と共に挟持する第２工程と、
前記開閉部材を前記挟持板部の先端から除去する第３工程と、
前記クリップ材の矩形板部に予めそれぞれに貼着された面状ファスナーを介して、前記飾り物を取外し可能に取付ける第４工程とを有する。
【０００９】
第１の発明に係る飾り物の装着方法において、前記弾性ブロックは断面矩形又は断面台形のゴム材（例えば、クロロプレンゴム、ネオプレンゴム、シリコンゴム、ウレタンゴム、天然ゴム等）からなっているのが好ましいが、弾性部材としては、柔軟性を有するプラスチック等も含む。
【００１０】
前記目的に沿う第２の発明に係る飾り物の装着装置は、服地に名札、ワッペン、ブローチ、又はその他のアクセサリーからなる飾り物を取り外し可能に固定する飾り物の装着装置であって、
前側面と、該前側面の両側にそれぞれ一端が連結する隣接面とを有し、前記隣接面が平行又は後方に狭まる弾性ブロックと、
平面状の矩形板部、該矩形板部の両端に一体的に折り曲げ状態で連結される対となる挟持板部、及び前記挟持板部の先端にそれぞれ形成された掛止部を有するクリップ材と、
前記挟持板部の各掛止部にそれぞれ取付け取外し可能に設けられ、梃子機構によって前記対となる挟持板部の先側を開く開閉部材と、
前記クリップ材の矩形板部に貼着された面状ファスナーの一方と、
前記面状ファスナーの他方が貼着された前記飾り物とを有し、
前記弾性ブロックをその前側面を前記服地の裏側に当接させた状態で、表側から前記クリップ材で前記服地と共に前記弾性ブロックを挟み、前記クリップ材の矩形板部に前記面状ファスナーを介して前記飾り物を取付ける。
ここで、第２の発明に係る飾り物の装着装置において、前記挟持板部の先端に形成されている前記掛止部は、断面Ｊ字状となっているのが好ましい。
【発明の効果】
【００１１】
本発明に係る飾り物の装着方法及び装置は、服地の裏側の弾性ブロックを、服地の外側からクリップ材で挟持しているので、取付け取外し操作が容易である。この場合、クリップ材を開くのに、梃子の原理を適用した開閉部材を用いているので、その操作が容易となる。更に、服地は弾性ブロックを介してクリップ材に挟持されているので、服地には疵が付かず、部分的に押圧して生地が傷むこともない。
また、飾り物は、面状ファスナーを介してクリップ材に取付けられているので、取付け取外しが容易である。
【図面の簡単な説明】
【００１２】
【図１】（Ａ）は本発明の第１の実施の形態に係る飾り物の装着装置の部分断面図、（Ｂ）は同飾り物の装着装置に使用する開閉部材の平面図、（Ｃ）は同飾り物の装着装置の正面図である。
【図２】（Ａ）は本発明の第２の実施の形態に係る飾り物の装着装置に使用する開閉部材の斜視図、（Ｂ）は同飾り物の装着装置のクリップ材の斜視図、（Ｃ）は同飾り物の装着装置に使用する弾性ブロックの斜視図である。
【図３】（Ａ）は本発明の第３の実施の形態に係る飾り物の装着装置に使用する開閉部材の平面図、（Ｂ）は同飾り物の装着装置に使用するクリップ材の平面図、（Ｃ）は同飾り物の装着装置の使用状態を示す断面図である。
【発明を実施するための形態】
【００１３】
続いて、添付した図面を参照しながら、本発明を具体化した実施の形態について説明する。
図１（Ａ）〜（Ｃ）に示すように、本発明の第１の実施の形態に係る飾り物の装着装置１０は、弾性ブロック１１と、弾性ブロック１１を服地（布地）１２を介して挟持するクリップ材１３と、クリップ材１３を開閉する開閉部材の一例である開閉ピン１４、１５と、クリップ材１３に面状ファスナー１６を介して取付けられる飾り物の一例であるワッペン１７とを有している。以下、これらについて詳しく説明する。
【００１４】
弾性ブロック１１は、断面矩形又は断面台形のゴム材（ウレタンゴム、天然ゴム、ブタジエンゴム、プロロプレンゴム等）からなって、前側面１８の両側にそれぞれ一端が連結する上下の隣接面（即ち、天井面、底面）１９、２０を備え、この隣接面１９、２０は平行又は後方に狭まっている。両側面２１、２２及び背面２３は平面状となって全体として弾性ブロック１１は略直方体状となっている（図２（Ｃ）参照）。
【００１５】
断面コ字状のクリップ材１３は、鉄又はステンレス等のバネ板材からなって、正面の矩形板部２５と矩形板部２５の両端に一体的に折り曲げ状態で基端が繋がる挟持板部２６、２７とを有し、対となる挟持板部２６、２７の先側には掛止部２８、２９が設けられている。挟持板部２６、２７はそれぞれ掛止部２８、２９が設けられている側に向かって、徐々に挟持板部２６、２７の幅が狭まる。なお、矩形板部２５は平面状となっている。
掛止部２８、２９はこの実施の形態では管状となって、図１（Ｃ）に示すように、３つの短管部３０〜３２、３３〜３５に分離されている。短管部３０、３１の間、短管部３１、３２の間、短管部３３、３４の間、短管部３４、３５の間には、長さＬの空間部３７をそれぞれ有している。
【００１６】
開閉ピン１４、１５はステンレス又は鉄等の弾性線材からなって、先側に折れ曲がった掛止ピン３８〜４１を有している。掛止ピン３８〜４１は空間部３７の長さＬより短く、その長さは例えば約（０．７〜０．９）Ｌとなっている。一方、掛止ピン３８、３９と掛止ピン４０、４１の間隔ｂは、短管部３１、３４の長さをｄとした場合、ｄ＋２Ｌより僅少の範囲（例えば、５〜２０％程度）で長くなって、掛止ピン３８、３９を短管部３０、３２に保持でき、掛止ピン４０、４１を短管部３３、３５に確実に保持でき、かつ取り外せるようになっている。
【００１７】
この飾り物の装着装置１０を用いた飾り物の装着方法について説明する。
図１（Ａ）に示すように、服地（洋服、又は和服）１２の裏側に、弾性ブロック１１を前側面１８が服地１２の裏側に接するようにして配置する。
次に、クリップ材１３の掛止部２８を構成する短管部３０、３２に開閉ピン１４の掛止ピン３８、３９を挿入し、掛止部２９を構成する短管部３３、３５に開閉ピン１５の掛止ピン４０、４１をそれぞれ嵌入する。
【００１８】
これによって、開閉ピン１４、１５の先部をクリップ材１３の挟持板部２６、２７の先端に取付け取外し可能に取付ける。開閉ピン１４、１５の溝深さｆは、クリップ材１３の高さｈの例えば、２．５〜５倍となっているので、開閉ピン１４、１５の溝底部４５、４６をその距離が狭まるように押圧すると、クリップ材１３の矩形板部２５の端部を支点とする梃子の原理（即ち、梃子機構）で対向する挟持板部２６、２７の先側を開くことができる。開いた場合の挟持板部２６、２７の開き幅は図１に示すように、弾性ブロック１１の上下方向の高さより大きくなっているので、服地１２を中間に配置して、弾性ブロック１１をクリップ材１３で挟持できる。
【００１９】
この後、開閉ピン１４、１５を掛止部２８、２９から外して、クリップ材１３の矩形板部２５に面状ファスナー１６を介して、ワッペン１７を取外し可能に取付けることができる。面状ファスナー１６は、周知の通り、それぞれ裏面側に接着材が塗布されたループテープとフックテープからなって、例えば、矩形板部２５にループテープを、ワッペン１７の裏側にフックテープを接着材を介して予め貼着するようになっている。
【００２０】
この飾り物の装着装置１０を服地１２から外す場合は、装着順序と逆の処理を行ってもよいし、クリップ材１３の挟持強度が弱い場合は、開閉ピン１４、１５を用いずに、服地１２から取り外すこともできる。
前記実施の形態においては、飾り物としてワッペンが使用されているが、名札、ブローチ、その他のアクセサリーであってもよい。
【００２１】
続いて、図２（Ａ）〜（Ｃ）に示す本発明の第２の実施の形態に係る飾り物の装着装置５０について説明するが、前記した飾り物の装着装置１０と同一の構成要素については、同一の符号を付して詳しい説明を省略する（以下の実施の形態においても同じ）。
この飾り物の装着装置５０は、弾性ブロック１１と、この弾性ブロック１１を服地１２と共に挟持するクリップ材５１と、クリップ材５１の挟持板部５２、５３を開く道具である開閉部材の一例である開閉ピン５４、５５と、クリップ材５１の矩形板部２５に対となる面状ファスナー１６を介して取り付けられる図示しない飾り物とを有している。
【００２２】
飾り物の装着装置１０と相違する点は、挟持板部５２、５３の先端に形成する掛止部５７、５８の形状を断面Ｊ字状としたことである。これによって、開閉ピン５４、５５の先部に設けられている掛止ピン３８〜４１の装着及び脱着が極めて容易となる。また、開閉ピン５４、５５の中間に止金５９、６０を形成し、適当長さのチェーン６１で連結し、片側の開閉ピン５４（又は５５）の紛失を防止した。
その他の要素、及び装着方法については、第１の実施の形態に係る飾り物の装着装置１０と同一である。
【００２３】
次に、図３（Ａ）〜（Ｃ）に示す本発明の第３の実施の形態に係る飾り物の装着装置６３について説明する。
この実施の形態においては、クリップ材６４の挟持板部６５、６６を開く開閉具６７（開閉部材の一例）が、第１の金具６８と第２の金具６９をピン７０で連結して形成されている。第１、第２の金具６８、６９はそれぞれ操作部７１、７２と作動部７３、７４とを有している。
【００２４】
一方、挟持板部６５、６６の先端には筒状の掛止部７６、７７が設けられ、操作部７３、７４の先側に横方向直角に折れ曲がって形成された掛止ピン７８、７９が掛止部７６、７７に一方から挿入可能となっている。従って、この状態で開閉具６７の操作部７１、７２を矢印ｚ方向に移動させてこれらの距離を縮めると、掛止ピン７８、７９が矢印ｙ方向に開き、これによって挟持板部６５、６６が開く。この状態でクリップ材６４が服地１２を介して弾性ブロック１１を挟み、クリップ材６４を服地１２に固定する。以下の動作については、第１の実施の形態と同様である。
【００２５】
本発明は前記した実施の形態に限定されるものではなく、本発明の要旨を変更しない範囲でその構成を変更することもできる。例えば、開閉部材は、クリップ材の挟持板部を無理なく開くためのもので、第１〜第３の実施の形態で説明した形態以外の形状であってもよい。また、弾性ブロックはこの実施の形態ではゴム材で構成したが、プラスチック材であってもよい。
【符号の説明】
【００２６】
１０：飾り物の装着装置、１１：弾性ブロック、１２：服地、１３：クリップ材、１４、１５：開閉ピン、１６：面状ファスナー、１７：ワッペン、１８：前側面、１９、２０：隣接面、２１、２２：側面、２３：背面、２５：矩形板部、２６、２７：挟持板部、２８、２９掛止部、３０〜３５：短管部、３７：空間部、３８〜４１：掛止ピン、４５、４６：溝底部、５０：飾り物の装着装置、５１：クリップ材、５２、５３：挟持板部、５４、５５：開閉ピン、５７、５８：掛止部、５９、６０：止金、６１：チェーン、６３：飾り物の装着装置、６４：クリップ材、６５、６６：挟持板部、６７：開閉具、６８：第１の金具、６９：第２の金具、７０：ピン、７１、７２：操作部、７３、７４：作動部、７６、７７：掛止部、７８、７９：掛止ピン
【図１】
2013169350.tif 000003
【図２】
2013169350.tif 000004
【図３】
2013169350.tif 000005